(57)【要約】【課題】  ネットワーク上のクラウドサーバにより、複数のキュービクルの点検情報の管理を可能として、将来の保守や点検に役立てることができるキュービクル管理システムを提供する。【解決手段】  通信ネットワークＮ上に配置されて、高圧受電設備を収容した複数のキュービクル１，１・・の管理情報を蓄積したクラウドサーバ３と、通信ネットワークＮを介してクラウドサーバ３にアクセスし、蓄積されているキュービクル１の管理情報を閲覧するための端末装置４とを有し、クラウドサーバ３は管理情報として個々のキュービクルの試験結果・定期点検データを格納する点検データ記憶部３１を有する一方、端末装置４から特定のキュービクル１の試験結果・定期点検データをクラウドサーバ３に対して入力でき、且つ不特定のキュービクル１の管理情報の閲覧ができる。【選択図】  図３
2019032761.tif 000002
【特許請求の範囲】
【請求項１】
通信ネットワーク上に配置されて、高圧受電設備を収容した複数のキュービクルの管理情報を蓄積したクラウドサーバと、
前記通信ネットワークを介して前記クラウドサーバにアクセスし、蓄積されている前記キュービクルの管理情報を閲覧すると共に、前記クラウドサーバに情報を蓄積するための端末装置とを有し、
前記クラウドサーバは、前記管理情報の１つとして個々の前記キュービクルの試験結果・定期点検データを格納する点検データ記憶部を有する一方、
前記端末装置により特定の前記キュービクルを含む受配電設備・機器の前記試験結果・定期点検データを前記クラウドサーバに入力でき、且つ前記クラウドサーバに格納されている不特定の前記キュービクルの前記管理情報の閲覧が可能であることを特徴とするキュービクル管理システム。
【請求項２】
前記クラウドサーバは、前記管理情報として前記キュービクル内に収容されている設備・機器の製造元、型式、及び変圧器油量を含む固体情報を記憶する固体情報記憶部と、
前記キュービクル内で使用されている設備・機器の予備品や代替品情報を記憶する部材情報記憶部とを有し、
前記端末装置から前記固体情報記憶部及び前記部材情報記憶部を閲覧できることを特徴とする請求項１記載のキュービクル管理システム。
【請求項３】
前記クラウドサーバは、前記管理情報として前記キュービクルに収納されている設備機器の劣化レベルを判断するための劣化判定基準情報、及び外観で劣化状態を判断するための画像情報を蓄積する劣化情報記憶部を有し、
当該劣化情報記憶部は、保存している画像毎に投稿者の主観情報を保存するメッセージ記録部を有して、前記端末装置から前記画像及びメッセージが投稿可能であり、
前記端末装置から前記劣化情報記憶部を閲覧した際には、投稿された任意の画像情報及びコメントを閲覧できることを特徴とする請求項１又は２記載のキュービクル管理システム。
【請求項４】
前記クラウドサーバは、前記管理情報として地域ごとに塩害レベルを設定した塩害レベル設定マップ記憶部を有し、
前記端末装置からキュービクルの場所情報を通知することで、当該キュービクルの塩害レベルを入手できることを特徴とする請求項１乃至３の何れかに記載のキュービクル管理システム。
【請求項５】
前記キュービクルに設置され、前記キュービクルから需要家の負荷に供給される使用電力データを収集して外部に通知する監視装置を有する一方、
前記クラウドサーバには、前記監視装置から通知される使用電力データを蓄積する電力データ記憶部が設けられ、
前記端末装置から前記電力データ記憶部を閲覧できることを特徴とする請求項１乃至４の何れかに記載のキュービクル管理システム。
【請求項６】
前記監視装置は、前記キュービクルが供給する電力のデマンド制御を実施する一方、前記クラウドサーバは、前記監視装置が監視する目標デマンド値を含むデマンド制御のための設定値を記憶する設定値記憶部、前記デマンド制御の内容を通知する前記端末装置を記憶する通知先記憶部を有し、
前記監視装置は、前記目標値デマンド値を前記クラウドサーバから読み取って前記キュービクルが供給する電力が前記目標デマンド値を超えないようデマンド制御を実施すると共に、制御内容を前記クラウドサーバに通知し、
前記クラウドサーバは、前記監視装置から通知された制御内容を、所定の前記端末装置に通知することを特徴とする請求項５記載のキュービクル管理システム。
【請求項７】
前記監視装置は、前記キュービクルが供給する電力のデマンド管理を実施する一方、前記クラウドサーバは、前記監視装置が監視する目標デマンド値を含むデマンド管理のための設定値を記憶する設定値記憶部、前記デマンド管理の内容を通知する前記端末装置を記憶する通知先記憶部を有し、
前記監視装置は、前記目標デマンド値を前記クラウドサーバから読み取ってデマンド管理を実施し、使用電力が目標デマンド値を超えると判断したら前記クラウドサーバに通知し、
前記クラウドサーバは、前記監視装置から受信したデマンド管理の通知を、所定の前記端末装置に通知することを特徴とする請求項５記載のキュービクル管理システム。
【発明の詳細な説明】
【技術分野】
【０００１】
本発明は、高圧受電設備を収容したキュービクルの保守点検のスムーズな実施を可能とするキュービクル管理システムに関する。
【背景技術】
【０００２】
高圧受電設備を収容したキュービクルにおける受電電力のデータをクラウドサーバに蓄積させて、関係者が必要に応じて入手可能としたシステムがある（例えば、特許文献１参照）。こうして、クラウドサーバにキュービクルのデータを蓄積して管理することで、関係者は必要に応じてどこからでもクラウドサーバにアクセスすることでキュービクルの情報を入手することができた。
【０００３】
一方で、キュービクルは故障による停電や絶縁劣化等による漏電等の発生を防止するために、定期的な点検が義務付けられており、その際、電路の電圧／電流の確認をはじめ、絶縁の良否や高圧ブレーカの動作等の点検が行われる。そして、これら測定データは今後の受電設備機器の交換時期等の判断材料になるため、保守点検する保安管理者により台帳が作成されて記録保存された。
【先行技術文献】
【特許文献】
【０００４】
【特許文献１】特開２０１７−１０３８６６号公報
【発明の概要】
【発明が解決しようとする課題】
【０００５】
上述したようにキュービクルに対して行われた定期的な点検データは記録して保存されて今後のメンテナンスの参考にされたが、保安管理者が交代したり、記録した台帳が紛失したりすると、過去の点検が生かされない場合があった。
また、過去のデータが十分残っていても、使用機器の交換時期は機器毎に一様に決められている訳ではなく保安管理者等の判断によるところが大きく、設置環境等で劣化が想定以上に進行して故障や動作異常が発生する場合があった。
このような背景から、点検データの管理を保安管理者等の特定の人物の判断に頼らず一括管理可能とすれば、保安管理者が代わっても過去のデータは容易に引き継ぎできる。また、交換時期等の判断材料も蓄積して提供できれば、保安管理者も客観的な判断が可能となりキュービクルの安定した管理が可能となる。
【０００６】
そこで、本発明はこのような問題点に鑑み、ネットワーク上のクラウドサーバにより、複数のキュービクルの点検情報の管理を可能として、将来の保守や点検に役立てることができるキュービクル管理システムを提供することを目的としている。
【課題を解決するための手段】
【０００７】
上記課題を解決する為に、請求項１の発明は、通信ネットワーク上に配置されて、高圧受電設備を収容した複数のキュービクルの管理情報を蓄積したクラウドサーバと、通信ネットワークを介してクラウドサーバにアクセスし、蓄積されているキュービクルの管理情報を閲覧すると共に、クラウドサーバに情報を蓄積するための端末装置とを有し、クラウドサーバは、管理情報の１つとして個々のキュービクルの試験結果・定期点検データを格納する点検データ記憶部を有する一方、端末装置により特定のキュービクルを含む受配電設備・機器の試験結果・定期点検データをクラウドサーバに入力でき、且つクラウドサーバに格納されている不特定のキュービクルの管理情報の閲覧が可能であることを特徴とする。
この構成によれば、保安管理者は端末装置を介してキュービクルの保守や点検データをクラウドサーバに送信して保存させる一方、クラウドサーバから管理しているキュービクルの過去のデータや他のキュービクルのデータを容易に入手でき、将来の保守や機器の交換時期の設定に役立てることができる。また、クラウドサーバが点検データを保持するため、保安管理者が交代しても点検データを容易に引き継ぎできるし過去のデータが紛失する恐れも無くなる。
【０００８】
請求項２の発明は、請求項１に記載の構成において、クラウドサーバは、管理情報としてキュービクル内に収容されている設備・機器の製造元、型式、及び変圧器油量を含む固体情報を記憶する固体情報記憶部と、キュービクル内で使用されている設備・機器の予備品や代替品情報を記憶する部材情報記憶部とを有し、端末装置から固体情報記憶部及び部材情報記憶部を閲覧できることを特徴とする。
この構成によれば、端末装置からクラウドサーバにアクセスすれば、設備・機器の製造元、型式、及び変圧器油量や、キュービクル内で使用されている設備・機器の予備品情報等を入手できるため、メンテナンスや部材探しに時間をかけずに済む。また、キュービクルに入ってメーカ名や型式を直接確認する危険を犯す必要がなくなる。
【０００９】
請求項３の発明は、請求項１又は２に記載の構成において、クラウドサーバは、管理情報としてキュービクルに収納されている設備機器の劣化レベルを判断するための劣化判定基準情報、及び外観で劣化状態を判断するための画像情報を蓄積する劣化情報記憶部を有し、当該劣化情報記憶部は、保存している画像毎に投稿者の主観情報を保存するメッセージ記録部を有して、端末装置から画像及びメッセージが投稿可能であり、端末装置から劣化情報記憶部を閲覧した際には、投稿された任意の画像情報及びコメントを閲覧できることを特徴とする。
この構成によれば、保安管理者は、自身が保守点検しているキュービクルの劣化レベルを劣化情報記憶部の情報を参照することで、外観から客観的な判断が可能となり、設備機器交換の時期を判断し易い。
【００１０】
請求項４の発明は、請求項１乃至３の何れかに記載の構成において、クラウドサーバは、管理情報として地域ごとに塩害レベルを設定した塩害レベル設定マップ記憶部を有し、端末装置からキュービクルの場所情報を通知することで、当該キュービクルの塩害レベルを入手できることを特徴とする。
この構成によれば、保安管理者は自身が保守点検するキュービクルが設置された地域の塩害レベルを把握できるため、今後の塩害対策スケジュールを立て易い。
【００１１】
請求項５の発明は、請求項１乃至４の何れかに記載の構成において、キュービクルに設置され、キュービクルから需要家の負荷に供給される使用電力データを収集して外部に通知する監視装置を有する一方、クラウドサーバには、監視装置から通知される使用電力データを蓄積する電力データ記憶部が設けられ、端末装置から電力データ記憶部を閲覧できることを特徴とする。
この構成によれば、キュービクルの点検データに加えてキュービクルから負荷に供給される使用電力データもクラウドサーバに蓄積され、端末装置から蓄積された電力データを閲覧できるため、保安管理者によるキュービクルの保守点検に加えて電力需要家の電力管理も端末装置を使用して実施でき、キュービクルの使用電力管理のために別途システムを構築する必要がない。
【００１２】
請求項６の発明は、請求項５に記載の構成において、監視装置は、キュービクルが供給する電力のデマンド制御を実施する一方、クラウドサーバは、監視装置が監視する目標デマンド値を含むデマンド制御のための設定値を記憶する設定値記憶部、デマンド制御内容を通知する端末装置を記憶する通知先記憶部を有し、監視装置は、目標値デマンド値をクラウドサーバから読み取ってキュービクルが供給する電力が目標デマンド値を超えないようデマンド制御を実施すると共に、制御内容をクラウドサーバに通知し、クラウドサーバは、監視装置から通知された制御内容を、所定の端末装置に通知することを特徴とする。
この構成によれば、デマンド制御されるキュービクルの設定値等をクラウドサーバで監視して、制御内容が個々の監視装置に関連付けられている端末装置に通知されるため、複数のキュービクルのデマンド制御を一括管理でき、管理し易い。
【００１３】
請求項７の発明は、請求項５に記載の構成において、監視装置は、キュービクルが供給する電力のデマンド管理を実施する一方、クラウドサーバは、監視装置が監視する目標デマンド値を含むデマンド管理のための設定値を記憶する設定値記憶部、デマンド管理の内容を通知する端末装置を記憶する通知先記憶部を有し、監視装置は、目標値デマンド値をクラウドサーバから読み取ってデマンド管理を実施し、使用電力が目標デマンド値を超えると判断したらクラウドサーバに通知し、クラウドサーバは、監視装置から受信したデマンド管理の通知を、所定の端末装置に通知することを特徴とする。
この構成によれば、デマンド管理されるキュービクルの設定値等をクラウドサーバで管理できるため、複数のキュービクルのデマンド管理を一括して管理できるし、監視内容が所定の端末装置に通知されるため、電力管理し易い。
【発明の効果】
【００１４】
本発明によれば、保安管理者は端末装置を介してキュービクルの保守や点検データをクラウドサーバに送信して保存させる一方、クラウドサーバから管理しているキュービクルの過去のデータや他のキュービクルのデータを容易に入手でき、将来の保守や機器の交換時期の設定に役立てることができる。また、クラウドサーバが点検データを保持するため、保安管理者が交代しても点検データを容易に引き継ぎできるし過去のデータが紛失する恐れも無くなる。
【図面の簡単な説明】
【００１５】
【図１】本発明に係るキュービクル管理システムの一例を示す構成図である。
【図２】監視装置のブロック図である。
【図３】クラウドサーバのブロック図である。
【発明を実施するための形態】
【００１６】
以下、本発明を具体化した実施の形態を、図面を参照して詳細に説明する。図１は本発明に係るキュービクル管理システムの一例を示す構成図であり、１は高圧受電設備を収容したキュービクル、２はキュービクル１に設置されてキュービクル１から図示しない需要家の負荷に供給される使用電力情報等を外部に送信する監視装置、３は通信ネットワークＮ上に配置されてキュービクル１の管理情報を蓄積したクラウドサーバ、４はキュービクル１を使用する需要家が設備情報や状況を入力、閲覧したり、保安管理者がキュービクル１を保守点検するための設定等をしたり、電気設備設計会社、キュービクルメーカ、設備機器メーカ等が情報入力する端末装置である。
監視装置２、端末装置４は通信ネットワークＮにより構築されているインターネット網を介してクラウドサーバ３と通信を実施する。
【００１７】
図２は監視装置２のブロック図を示している。図２に示すように、監視装置２は高圧受電電力がキュービクル１内において電力（使用電力）に変換された後の負荷に供給される電力（使用電力）を計測する図示しないスマートメータと通信するスマートメータ通信ＩＦ２１、高圧又は低圧電路に設置された図示しない電路から電圧信号を入力する電圧信号入力部２２、同様に高圧又は低圧電路に設置された図示しない変流器からの電流信号を入力する電流信号入力部２３、計測値等を表示する表示部２４、入手したデータを記憶する記憶部２５、使用電力量の算出等所定の演算を実施すると共に監視装置２を制御する監視装置ＣＰＵ２６、クラウドサーバ３と通信する外部通信ＩＦ２７等を備えている。
尚、監視装置２は、使用電力が予め設定された電力値（目標デマンド値）を超えると想定されると、特定の負荷に供給する電力を削減或いは遮断するデマンド制御を実施する機能を有しており、このときの制御の基準となる目標デマンド値はクラウドサーバ３に登録されており、この値を入手して制御が成される。
【００１８】
図３はクラウドサーバ３のブロック図を示している。図３に示すように、クラウドサーバ３はキュービクルの管理情報として、定期点検データ等を格納する点検データ記憶部３１、使用電力データ等を記憶する電力データ記憶部３２、設備・機器の製造元、型番、定格情報等を格納する固体情報記憶部３３、設備・機器の予備品や代替品情報を格納する部材情報記憶部３４、劣化したキュービクル１を含む受配電設備・機器に関する劣化判定基準情報やこれらに関する画像情報を格納する劣化情報記憶部３５、塩害レベルを地域ごとに区分けした情報を格納する塩害レベル設定マップ記憶部３６、目標デマンド値等の設定値を記憶する設定値記憶部３７、デマンド制御内容等の通知先を記憶する通知先記憶部３８、クラウドサーバ３を制御するクラウドサーバＣＰＵ３９、監視装置２及び端末装置４と通信する通信ＩＦ４０等を備えている。
【００１９】
尚、端末装置４は、表示部、操作部、通信部等を有し、例えばＰＣ（パーソナルコンピュータ）を適用できるし、持ち運びが容易なタブレット端末で構成しても良い。この端末装置４は、キュービクル１を管理する保安管理者をはじめ、クラウドサーバ３に情報を提供したり閲覧を希望するキュービクル１を設置した電力需要家、キュービクルメーカ、機器メーカ等が所持しクラウドサーバ３と通信可能となっている。
【００２０】
ここで、上記クラウドサーバ３の個々の記憶部について更に説明すると、点検データ記憶部３１には、竣工検査等の試験結果データ、月次点検データ、年次点検データ等の定期点検データが格納されている。これらのデータは、実際にキュービクル１を検査点検した保安管理者により端末装置４から入力される。
尚、クラウドサーバ３は複数のキュービクル１，１・・を管理しており、端末装置４によりデータ入力が可能なキュービクル１は、端末装置４のＩＤ等で予め設定された特定のキュービクル１となっている。従って、ＩＤ等で関連付けられていないキュービクル１のデータは企業名等を特定できるような情報を除き閲覧のみ可能であり、データ入力や変更操作はできないよう構成されている。
【００２１】
電力データ記憶部３２には、監視装置２から定期的に送られてくる使用電力データ、低圧／高圧の電圧データ、低圧／高圧の電流データ、更に監視装置２が演算した所定時間の電力量データ等が蓄積されている。これらの電力関連データは、キュービクル１が設置されて使用している需要家、保安管理者、電気設備設計会社により、使用電力を管理するために端末装置４から閲覧される。
【００２２】
固体情報記憶部３３には、キュービクル１に収納されている変圧器やコンデンサ等の主要機器に関する製造元、型式、定格の情報、更には変圧器の油量情報等の固体情報が格納されている。これらの情報は、キュービクル１が工場から出荷される段階でキュービクルメーカ側が端末装置４からクラウドサーバ３にアクセスして入力される。尚、機器によっては、機器のメーカにより情報が入力される。
【００２３】
部材情報記憶部３４には、キュービクル１に組み付けられている開閉器、電力ヒューズ、碍子等のメーカや品番、予備品や交換時の代替品に関する情報が格納されている。これらの情報も、キュービクル１が工場から出荷される段階でキュービクルメーカにより作成され入力されたり、機器メーカがクラウドサーバ３に最初に登録するときや、機器仕様が変更となったタイミングで作成して入力される。
【００２４】
劣化情報記憶部３５には、キュービクル１を含む受配電設備を構成する種々の部材の劣化レベルを判定するための劣化判定基準情報やこれらに関する画像データが格納され、合わせて投稿者のメッセージを格納する図示しないメッセージ記録部を有して構成されている。画像データ及びメッセージは、クラウドサーバ３が管理している個々のキュービクル１を保守点検している保安管理者により端末装置４から投稿した画像及びメッセージを中心に構成され、保安管理者により投稿する画像と共に撮影対象のキュービクルや機器の使用年数情報や特性データ情報、更には劣化レベルの主観情報等のコメントが合わせて投稿されて構成されている。この画像情報及びメッセージ情報は機器の種類で分類されて格納され、保安管理者が得たい情報を容易に入手できるよう分類されて記憶されている。
尚、劣化判定基準情報とは、例えば変圧器絶縁油の劣化レベルを判定するための情報としてフルフラール法の情報が劣化情報記憶部３５に格納されており、絶縁油中のフルフラール生成量と劣化レベルの関係を示すデータが格納されている。
【００２５】
塩害レベル設定マップ記憶部３６は、場所（住所）に塩害レベルが組み付けられて記憶されている。例えば、日本全土全体が５段階に設定されたレベルの何れかに属して記憶されている。そのため、端末装置４からキュービクル１を設置した住所を入力すれば、その地域に設定されている塩害レベル情報を入手でき、適切な保守点検の頻度の検討やキュービクル１の設置環境における機器や部材の塩害による劣化スピードの推測に役立てることができる。
【００２６】
このように、保安管理者は端末装置４を介してキュービクル１の保守や点検データをクラウドサーバ３に送信して保存させる一方、クラウドサーバ３から管理しているキュービクル１の過去のデータや他のキュービクル１のデータを容易に入手でき、将来の保守や機器の交換時期の設定に役立てることができる。また、クラウドサーバ３が点検データを保持するため、保安管理者が交代しても点検データを容易に引き継ぎできるし過去のデータが紛失する恐れも無くなる。
また、端末装置４からクラウドサーバ３にアクセスすれば、設備・機器の製造元、型式、及び変圧器油量や、キュービクル内で使用されている設備・機器の予備品情報等を入手できるため、メンテナンスや部材探しに時間をかけずに済む。また、キュービクル１に入ってメーカ名や型式を直接確認する危険を犯す必要がなくなる。
更に、保安管理者は、自身が保守点検しているキュービクル１の劣化レベルを劣化情報記憶部３５の情報を参照することで、外観から客観的な判断が可能となり、設備機器交換の時期を判断し易いし、自身が保守点検するキュービクル１が設置された地域の塩害レベルをクラウドサーバ３から把握できるため、今後の塩害対策スケジュールを立て易い。
加えて、キュービクル１の点検データに加えてキュービクル１から負荷に供給される使用電力データもクラウドサーバ３に蓄積され、端末装置４から蓄積された電力データを閲覧できるため、保安管理者によるキュービクル１の保守点検に加えて電力需要家の電力管理も端末装置を使用して実施でき、キュービクル１の使用電力管理のために別途システムを構築する必要がない。
また、デマンド制御されるキュービクル１の設定値等をクラウドサーバ３で監視して、制御内容が個々の監視装置２に関連付けられている端末装置４に通知されるため、複数のキュービクル１のデマンド制御を一括管理でき、管理し易い。
【００２７】
尚、上記実施形態では、監視装置２はデマンド制御を実施しているが、制御はせずに使用電力が目標デマンド値を超えそうになったら、それを所定の通知先に通知するデマンド監視のみを実施しても良く、デマンド管理されるキュービクル１の設定値等をクラウドサーバ３で管理できるため、複数のキュービクル１のデマンド管理を一括して管理できるし、監視内容が所定の端末装置４に通知されるため、電力管理し易い。
【符号の説明】
【００２８】
１・・キュービクル、２・・監視装置、３・・クラウドサーバ、４・・端末装置、３１・・点検データ記憶部、３２・・電力データ記憶部、３３・・固体情報記憶部、３４・・部材情報記憶部、３５・・劣化情報記憶部、３６・・塩害レベル設定マップ記憶部、・・クラウドサーバＣＰＵ、Ｎ・・通信ネットワーク。
【図１】
2019032761.tif 000003
【図２】
2019032761.tif 000004
【図３】
2019032761.tif 000005